(57)【要約】【課題】質量の増大を招くことなく、クラブヘッドの質量バランスが調整できるゴルフクラブを提供する。【解決手段】貫通穴４がフェース面６を除く部分に設けられた中空のクラブヘッド２をシャフト１の先端部に装着するようにしたゴルフクラブであり、貫通孔４は１ｃｍ２以上、３０ｃｍ２以下の大きさに形成する。また、貫通孔４はフェース面６から１ｃｍ以上離れた部分に設ける。また、クラブヘッド２の本体部分２Ａを形成している素材より比重の小さい素材から形成した板状封止部材２Ｂにより貫通孔４を封止するようにしたゴルフクラブ。【選択図】    図４
2004167003.tif 000002
【特許請求の範囲】
【請求項１】
クラブヘッドがフェース面を除く部分に貫通穴が設けられた中空クラブヘッドからなることを特徴とするゴルフクラブ。
【請求項２】
貫通孔が１ｃｍ２以上、３０ｃｍ２以下の大きさに形成されたことを特徴とする請求項１記載のゴルフクラブ。
【請求項３】
貫通孔がフェース面から１ｃｍ以上離れた部分に設けられたことを特徴とする請求項１または２記載のゴルフクラブ。
【請求項４】
孔開き中空クラブヘッド本体部を形成している素材より比重の小さい素材により貫通孔が封止されたことを特徴とする請求項１〜３何れかに記載のゴルフクラブ。
【発明の詳細な説明】
【０００１】
【発明の属する技術分野】
本発明は、質量バランスが容易に行えるクラブヘッドを備えたゴルフクラブに関するものである。
【０００２】
【従来の技術】
この種のゴルフクラブとしては、例えば図５に示したように予め形成した中空外殻構造を有するクラブヘッド２の本体部分２Ａの中空部分２Ｃにパウダー状またはペレット状の質量調整部材９を配し、質量調整部材９を融点以上に加熱して溶融させ、本体部分２Ａの所望位置に流動させて冷却し、本体部分２Ａの内部に融着させてクラブヘッド全体の質量およびそのバランスを調整するゴルフクラブが周知である（例えば、特許文献１参照。）。
【０００３】
この技術により、例えば質量調整部材９をソール面内側に均一に配置させることにより質量中心の位置が下がり、打球時の安定性が増したゴルフクラブを作ることが可能になった。
【０００４】
しかし、クラブヘッドを大型化することによってスイートエリアを拡大し、打球の方向安定性を向上させることが主流となっている現在では、ソール部の質量増大がヘッドの大型化を妨げる欠点にもなっている。
【０００５】
【発明が解決しようとする課題】
したがって、質量の増大を招くことなく、クラブヘッドの質量バランスを調整することができるようにする必要があり、それが解決すべき課題となっていた。
【０００６】
【課題を解決するための手段】
本発明は上記従来技術の課題を解決するため、クラブヘッドのフェース面を除く部分に貫通穴が設けられた中空クラブヘッドを用いるようにした第１の構成のゴルフクラブと、
【０００７】
前記第１の構成のゴルフクラブにおいて、貫通孔を１ｃｍ２以上、３０ｃｍ２以下の大きさに形成するようにした第２の構成のゴルフクラブと、
【０００８】
前記第１または第２の構成のゴルフクラブにおいて、貫通孔をフェース面から１ｃｍ以上離れた部分に設けるようにした第３の構成のゴルフクラブと、
【０００９】
前記第１〜第３の構成のゴルフクラブにおいて、孔開き中空クラブヘッド本体部を形成している素材より比重の小さい素材により貫通孔を封止するようにした第４の構成のゴルフクラブと、
を提供するものである。
【００１０】
【発明の実施の形態】
以下、本発明の実施形態を図１〜図４に基づいて詳細に説明する。なお、理解を容易にするため、これらの図面においても前記図５において説明した部分と同様の機能を有する部分には、同一の符号を付した。
【００１１】
〔第１の実施形態〕
本発明の第１の実施形態を図１、図２に基づいて説明する。図１、図２に示した第１の実施形態のゴルフクラブ１００においては、シャフト１の先端部に装着されたクラブヘッド２は、例えばチタン製の中空外殻構造を有し、そのクラウン部３には楕円状の貫通孔４が設けられている。
【００１２】
表１は、例えば厚さ１．２ｍｍのチタンにより形成されたクラブヘッド２のクラウン部３に１５ｃｍ２の大きさ（長径５ｃｍ、短径４．５ｃｍ程度の楕円状に形成）の貫通孔４が開設された本発明のゴルフクラブ１００（Ａ）と、クラウン部３に３２ｃｍ２の大きさ（長径８ｃｍ、短径６ｃｍ程度の楕円状に形成）の貫通孔４が開設された本発明のゴルフクラブ１００（Ｂ）と、貫通孔４が設けられていない従来タイプのゴルフクラブ１００Ｘとの、検査用ロボットによる試打結果を比較して示した表である。
【００１３】
【表１】
2004167003.tif 000003
【００１４】
なお、打球時にゴルフボールを打つフェース面６のクラウン側が過度に撓んで反発力が不足することがないように、貫通孔４はフェース面６から１ｃｍ以上離れた部位のクラウン部３に開設されている。
【００１５】
また、表１から分かるように、何れのゴルフクラブもクラブヘッド２は、スイートエリアを拡大して打球の方向安定性を向上させるために、その体積（貫通孔４の部分も中空外殻の表面が仮想線（図２参照）で示すように連続的に形成されていると仮定して算出した体積）は４１０ｃｍ３と云う大型に形成されている。
【００１６】
本発明のゴルフクラブ１００（Ａ）、１００（Ｂ）においては、クラウン部３に貫通孔４を設けたことにより、クラブヘッド２の質量中心位置が下がり、ボール上下打出し角度は増大し、バックスピン量が少ない弾道となってキャリー飛距離、トータル飛距離共に増加した。
【００１７】
なお、クラウン部３に１１ｃｍ２の貫通孔４が設けられたクラブヘッド２を有するゴルフクラブ１００（Ｂ）で最大の飛距離が得られたが、試打後に行ったロボットによってボールを打ち続ける耐久テストにおいて、１５００発程度打った時点でゴルフクラブ１００（Ｂ）のクラブヘッド２には微小な割れが発生したので、３０ｃｍ２を超える貫通孔４は耐久性の観点からは避けるのが好ましい。
【００１８】
〔第２の実施形態〕
本発明の第２の実施形態を図３に基づいて詳細に説明する。図３に示した第２の実施形態のゴルフクラブ１００においては、シャフト１の先端部に装着された、例えばチタン製の中空外殻構造を有するクラブヘッド２のサイドトウ部７に楕円状の貫通孔４が設けられている。
【００１９】
表２は、サイドトウ部７に８ｃｍ２の大きさ（長径４ｃｍ、短径３ｃｍ程度の楕円状に形成）の貫通孔４が開設された本発明のゴルフクラブ１００（Ｃ）と、サイドトウ部７に１１ｃｍ２の大きさ（長径４．５ｃｍ、短径３．５ｃｍ程度の楕円状に形成）の貫通孔４が開設された本発明のゴルフクラブ１００（Ｄ）と、貫通孔４が設けられていない従来タイプのゴルフクラブ１００Ｘとの、ゴルファーによる試打結果を比較して示した表である。
【００２０】
【表２】
2004167003.tif 000004
【００２１】
なお、ゴルフクラブ１００（Ｃ）、１００（Ｄ）においても、打球時にフェース面６のサイドトウ側が過度に撓んで反発力が不足することがないように、貫通孔４はフェース面６から１ｃｍ以上離れた部位のサイドトウ部７に開設されている。
【００２２】
表２から分かるように、ゴルフクラブ１００（Ｃ）、１００（Ｄ）におけるクラブヘッド２も、スイートエリアを拡大して打球の方向安定性を向上させるために、その体積（貫通孔４の部分も中空外殻の表面が仮想線（図２参照）で示すように連続的に形成されていると仮定して算出した体積）は４１０ｃｍ３と云う大型に形成されている。
【００２３】
そして、本発明のゴルフクラブ１００（Ｃ）、１００（Ｄ）においてはサイドトウ部７に貫通孔４を設けたことにより、質量中心位置がシャフト１の軸側に接近し、結果としてスライスし難くなり、その分飛距離が増加するクラブとなった。
【００２４】
クラウン部３、サイドトウ部７などに設ける貫通孔４は、図４に示したように、クラブヘッド２の中空外殻構造の本体部分２Ａを形成している素材より比重の小さい素材、例えば実施形態１および２で示したゴルフクラブ１００においては、クラブヘッド２の本体部分２Ａが比重４．５のチタンにより形成されているので、比重がそれより小さいプラスチック、マグネシウム合金、アルミニウム、アルミニウム合金などから形成した板状封止部材２Ｂにより封止し、水、ごみなどがクラブヘッド２の中空部分２Ｃに侵入することがないようにしても、前記優れた作用効果が失われることはない。
【００２５】
なお、板状封止部材２Ｂの本体部分２Ａへの取り付けは、嵌合によりなされても良いし、本体部分２Ａ、板状封止部材２Ｂが共に金属により形成されているときには、溶接により取り付けることも可能である。
【００２６】
貫通孔４はその大きさが１ｃｍ２以下であると、クラブヘッド２における質量中心の調整可能距離は僅かであり、貫通孔４を開設する手間に比べて期待できる効果が小さいため、貫通孔４は１ｃｍ２以上の大きさに設けることが好ましい。
【００２７】
逆に、貫通孔４の大きさが３０ｃｍ２を超えると、クラブヘッド２の全体的な強度が不足して破損し易くなるだけでなく、フェース面６が過度に撓んで反発力が不足し、飛距離が減少すると云った問題点が生じるため、貫通孔４はその大きさが３０ｃｍ２を超えないように設けることが好ましい。
【００２８】
【発明の効果】
以上説明したように、本発明はクラブヘッドのフェース面を除く部分に貫通穴が設けられた中空クラブヘッドを備えるようにしたゴルフクラブであるので、クラブヘッドの質量増加を招くことなく、質量中心の位置を変更することができる。そのため、クラブヘッドを大型化してスイートエリアを拡大し、打球の方向安定性を向上させるタイプのゴルフクラブにおいても、容易に質量バランスを調整することができる。
【００２９】
また、貫通孔をフェース面から１ｃｍ以上離れた部位に設けるようにしたゴルフクラブにおいては、打球時にフェース面が過度に撓んで反発力が不足すると云った不都合が生じることもない。
【００３０】
また、ヘッド本体を形成している素材より比重の小さい素材により貫通孔を封止するようにしたゴルフクラブにおいては、水、ごみなどが中空外殻構造のクラブヘッドの中空部分に侵入すると云った不都合を生じることがない。
【図面の簡単な説明】
【図１】第１の実施形態のゴルフクラブの説明図である。
【図２】第１の実施形態のゴルフクラブの断面説明図である。
【図３】第２の実施形態のゴルフクラブの説明図である。
【図４】他の実施形態のゴルフクラブの説明図である。
【図５】従来技術の説明図である。
【符号の説明】
１  シャフト
２  クラブヘッド
２Ａ  本体部分
２Ｂ  板状封止部材
２Ｃ  中空部分
３  クラウン部
４  貫通孔
５  ソール部
６  フェース面
７  サイドトウ部
９  質量調整部材
１００  ゴルフクラブ
【図１】
2004167003.tif 000005
【図２】
2004167003.tif 000006
【図３】
2004167003.tif 000007
【図４】
2004167003.tif 000008
【図５】
2004167003.tif 000009